(57)【要約】【課題】ポケット用材の溶着部分の接着強度を上げるとともに、比較的ポケット用材の熱溶着部に不具合が発生しにくい、ファイル等のポケットの構造およびその溶着方法を提供する。【解決手段】このファイル等のポケットの構造は、ファイル表紙等を構成する、熱溶着性を有する基材１２と、基材１２の表面に溶着されてポケット１４を形成する、熱溶着性を有するポケット用材１６と、ポケット用材１６の端縁１６ａより内側の一部が間歇的に基材１２と熱溶着されるとともに、熱溶着されたポケット用材１６の一部が端縁より流出して基材１２の表面と溶着されたものである。【選択図】　　　図２
2004042594.tif 000002
【特許請求の範囲】
【請求項１】
ファイル表紙等を構成する、熱溶着性を有する基材と、
前記基材の表面に溶着されてポケットを形成する、熱溶着性を有するポケット用材と、
前記ポケット用材の端縁より内側の一部が間歇的に前記基材と熱溶着されるとともに、前記熱溶着されたポケット用材の一部が端縁より流出して基材の表面と溶着された、ファイル等のポケットの構造。
【請求項２】
ファイル表紙等を構成する、熱溶着性を有する基材と、
前記基材の表面に溶着されてポケットを形成する、熱溶着性を有するポケット用材とを準備するステップと、
前記基材の表面にポケット用材を重合するステップと、
間歇的に加熱体が形成された熱溶着装置によって、前記ポケット用材の端縁より内側に前記加熱体の一部を押し当てて、ポケット用材の一部を間歇的に基材に熱溶着するステップと、
前記ポケット用材の端縁より外に出た前記加熱体の一部を、ポケット用材の一部が加熱されて溶融してその端縁より流出した部分に押し当て、且つ基材の表面に押し当てて、基材の表面とポケット用材と溶着するステップとを含む、ファイル等のポケットの溶着方法。
【請求項３】
前記熱溶着装置の加熱体は、間歇的に突出された断面略方形で、ポケット用材および基材に押し当てられる押圧面が略平面の棒状体であって、
前記加熱体の一部をポケット用材の一部に押し当てるときには、加熱体の押圧面の一部がポケット用材の端縁より内側に位置し、且つ前記加熱体の押圧面の一部がポケット用材の端縁より外側に位置するように配され、
前記加熱体が、ポケット用材および／または基材に対し垂直方向に押し当てられる、請求項２に記載のファイル等のポケットの溶着方法。
【発明の詳細な説明】
【０００１】
【発明の属する技術分野】
この発明は、ファイル等のポケットの構造およびその溶着方法に関し、特に、たとえば、ファイル等の表紙の内側面または外側面にポケット用材が溶着されている、ポケットの構造およびその溶着方法に関する。
【０００２】
【従来の技術】
従来、ファイルの表紙の内側面に平面三角形状の補助ポケットを形成したものがある。
たとえば、従来のファイル１は、図１９および図２０に示すように、そのファイル表紙３の内側表面に補助ポケット用材５の端縁より内側の一部が、間歇的に熱溶着されて、平面略三角形の補助ポケット７が形成されている。
このファイル１の表紙３は、１ｍｍ厚さのポリプロピレン製シートからなり、その表紙３の内側表面に、０．２ｍｍ厚さのポリプロピレン製シートからなる補助ポケット用材５が重ねられ、図２１および図２２に示すように、補助ポケット用材５の表面より加熱した溶着刃９で押圧して、補助ポケット用材５を熱溶着させて、補助ポケット７を形成している。
【０００３】
【発明が解決しようとする課題】
従来のファイル１においては、表紙３の厚さが比較的厚いために、補助ポケット用材５の表面より溶着刃９によって溶着するとき、たとえば、溶着刃９の温度が低いと、表紙３に十分熱が伝わりにくく、そのために、表紙３が溶融せず、補助ポケット用材５と表紙３とが充分溶着せず、接着強度が弱いことがある。
また一方、溶着刃９の温度を高く設定すると、溶着部分の補助ポケット用材５が薄くなって、いわゆるシール際が切れ易くなるおそれがあり、製作上困難を伴うことがあって、歩留まりが悪くなるという問題点を有している。
なお、熱溶着は熱融着とも言われ、また溶着は融着とも言われているが、本明細書においては、それらを含めて熱溶着または溶着として説明する。
【０００４】
それゆえに、この発明の主たる目的は、ポケット用材の溶着部分の接着強度を上げるとともに、比較的ポケット用材の熱溶着部に不具合が発生しにくい、ファイル等のポケットの構造およびその溶着方法を提供することである。
【０００５】
【課題を解決するための手段】
この発明の請求項１に記載のファイル等のポケットの構造は、ファイル表紙等を構成する、熱溶着性を有する基材と、基材の表面に溶着されてポケットを形成する、熱溶着性を有するポケット用材と、ポケット用材の端縁より内側の一部が間歇的に基材と熱溶着されるとともに、熱溶着されたポケット用材の一部が端縁より流出して基材の表面と溶着された、ファイル等のポケットの構造である。
この発明の請求項２に記載のファイル等のポケットの溶着方法は、ファイル表紙等を構成する、熱溶着性を有する基材と、基材の表面に溶着されてポケットを形成する、熱溶着性を有するポケット用材とを準備するステップと、基材の表面にポケット用材を重合するステップと、間歇的に加熱体が形成された熱溶着装置によって、ポケット用材の端縁より内側に加熱体の一部を押し当てて、ポケット用材の一部を間歇的に基材に熱溶着するステップと、ポケット用材の端縁より外に出た加熱体の一部を、ポケット用材の一部が加熱されて溶融してその端縁より流出した部分に押し当て、且つ基材の表面に押し当てて、基材の表面とポケット用材と溶着するステップとを含む、ファイル等のポケットの溶着方法である。
この発明の請求項３に記載のファイル等のポケットの溶着方法は、熱溶着装置の加熱体は、間歇的に突出された断面略方形で、ポケット用材および基材に押し当てられる押圧面が略平面の棒状体であって、加熱体の一部をポケット用材の一部に押し当てるときには、加熱体の押圧面の一部がポケット用材の端縁より内側に位置し、且つ加熱体の押圧面の一部がポケット用材の端縁より外側に位置するように配され、加熱体が、ポケット用材および／または基材に対し垂直方向に押し当てられる、請求項２に記載のファイル等のポケットの溶着方法である。
【０００６】
【発明の効果】
この発明のファイル等のポケットの構造は、ファイル表紙等を構成する、熱溶着性を有する基材と、基材の表面に溶着されてポケットを形成する、熱溶着性を有するポケット用材と、ポケット用材の端縁より内側の一部が間歇的に基材と熱溶着されるとともに、熱溶着されたポケット用材の一部が端縁より流出して基材の表面と溶着されているので、ポケット用材の端縁より内側の一部が間歇的に基材と熱溶着されたうえに、ポケット用材の端縁より外側においては、溶融したポケット用材の一部がその端縁より流出して、基材の表面と接着され、ポケット用材を基材に熱溶着するときの加熱体の熱が基材にも伝わり易く、ポケット用材と基材とが、所定の接着強度を有して接着される。
このファイル等のポケットの溶着方法によれば、加熱体の一部をポケット用材の端縁より内側に押し当てて、ポケット用材の一部を間歇的に基材に熱溶着することにより、ポケット用材の一部が基材と熱溶着されるとともに、加熱体をポケット用材を加熱して溶着するときポケット用材の一部が端縁より流出した部分に押し当て且つ基材の表面に押し当てて、基材の表面とポケット用材とを熱溶着するようにしているので、加熱体の熱が基材に伝わり易く、基材とポケット用材を所定の接着強度をもって接着することができる。
さらに、このファイル等のポケットの溶着方法は、熱溶着装置の加熱体が、間歇的に突出された断面略方形で、ポケット用材および基材に押し当てられる押圧面が略平面の棒状体であって、加熱体の一部をポケット用材の一部に押し当てるときには、加熱体の押圧面の一部がポケット用材の端縁より内側に位置し且つ加熱体の押圧面の一部がポケット用材の端縁より外側に位置するように配され、加熱体がポケット用材および／または基材に対し、垂直方向に押し当てられるようにすれば、加熱体の熱が基材に伝わり易く、基材とポケット用材を、所定の接着強度をもって接着することができる。
【０００７】
この発明の上述の目的，その他の目的，特徴および利点は、図面を参照して行う以下の発明の実施の形態の詳細な説明から一層明らかとなろう。
【０００８】
【発明の実施の形態】
図１は、この発明の一実施の形態であるファイルの内側の平面図解図である。図２は、ポケット近傍の拡大図解図である。図３は、熱溶着装置の加熱体の一部の図解図である。図４ないし図６は、ファイル等のポケットの溶着方法を示す断面図解図である。
このファイル１０は、表紙１２と表紙１２の表面に溶着されてポケット１４を形成するポケット用材１６とを含み、適宜、背表紙にはリングバインダ等が取り付けられる。
ポケット１４と表紙１２との間に、用紙等を挟むことができるように隙間を有する。
【０００９】
表紙１２は、ファイル表紙等を構成するものであって熱溶着性を有する基材を構成し、たとえば、１ｍｍ厚さのポリプロピレン製シートを方形に成形してなる。
ポケット用材１６は、前記基材を構成する表紙１２の表面の下端隅部分に溶着されるもので、溶着性を増すために前記表紙１２と同一の合成樹脂からなり、このポケット用材１６は、たとえば、０．２ｍｍ厚さのポリプロピレン製シートを平面略三角形状に成形してなる。
【００１０】
この表紙１２とポケット用材１６は、接着性をよくするために、ポリプロピレン、ポリオレフィン等のような熱溶着性を有する合成樹脂シートまたはフィルム等から適宜選択され、通常は、表紙１２の方がポケット用材１６より厚手のものが選択される。
ポケット１４は、ポケット用材１６の内側表面と表紙１２の内側表面との間に紙片等を挟むための比較的薄い隙間を有するように構成されるので、ポケット用材１６としては、比較的弾力性を有する合成樹脂が選択される。
【００１１】
ポケット用材１６は、略直角三角形状で、その直角の角部の一部が切り取られたものであって、表紙１２の下端隅部のＬ字形部分に、ポケット用材１６の斜辺部分を構成する端縁１６ａに沿って、一定間隔をおいて連続して形成された固着部１８によって固着される。
固着部１８は、ポケット用材１６の端縁１６ａより内側の一部が間歇的に表紙１２と熱溶着された平面方形の内側固着部１８ａが形成されるとともに、前記内側固着部１８ａに続いて、前記熱溶着されるときにポケット用材１６の一部がポケット用材１６の端縁１６ａより流出して表紙１２の表面と熱溶着された外側固着部１８ｂが連続して形成されている。
固着部１８の内側固着部１８ａの内側部は、ポケット用材１６の端縁１６ａに沿って略直線上に並列され、また、固着部１８の外側固着部１８ｂの外側部は、表紙１２の端縁に沿って略直線上に並列されている。
【００１２】
次に、このファイル１０のポケット１４の製造方法、特に溶着方法について説明する。
まず、所定の形状（たとえば長方形）に成形された表紙１２と、所定の形状（たとえば略直角三角形状）に成形されたポケット用材１６とを準備し、表紙１２の内側表面にポケット用材１６を重合する。
【００１３】
これらの表紙１２とポケット用材１６とは、熱溶着装置３０によって、熱溶着されることにより、ポケット１４を形成するが、熱溶着装置３０のポケット用材１６および表紙１２に押し当てられる加熱体３２は、間歇的に突出された断面略方形でその四角が面取りされており、ポケット用材１６および表紙１２に押し当てられる押圧面３２ａが略平面の棒状体であって、基板３４から突出形成されている。
これら基板３４と加熱体３２とは、金属をもって一体成型され、所定の温度に加熱されるように形成されている。
【００１４】
そして、加熱体３２の押圧面３２ａの一部をポケット用材１６の一部に、すなわち、ポケット用材１６の端縁１６ａより内側において間歇的に表紙１２に熱溶着するように、加熱した状態で押圧面３２ａの略三分の二を押し当て、ポケット用材１６を表紙１２の内側表面に熱溶着する。
さらに、ポケット用材１６を表紙１２に熱溶着した上、加熱体３２を表紙１２の内側面に対し垂直に押圧すると、加熱体３２の押圧面３２ａが表紙１２の表面と接触する位置まで接近し、ポケット用材１６と表紙１２に加熱体３２の温度が略均一に行き渡るようになる。このとき、図５に示すように、ポケット用材１６の一部が溶融して、ポケット用材１６の端縁１６ａより外側にはみ出し流出する。
そして、加熱体３２が、図６に示すように、ポケット用材１６の端縁１６ａより外側に流出した部分とともに表紙１２に押し当てられ、ポケット用材１６の端縁１６ａより外側にはみ出した部分が表紙１２の表面と溶着される。
このように、加熱体３２は、その略三分の二がポケット用材１６の端縁１６ａより内側に位置し、加熱体３２の残り三分の一がポケット用材１６の端縁１６ａより外側にはみ出し、ポケット用材１６と表紙１２との間に跨って押し当てられるように配置される。そして、加熱体３２の押圧面３２ａが、表紙１２およびポケット用材１６と正対するように配されて、表紙１２およびポケット用材１６の表面に対し、垂直方向に向けて押圧されるように配される。
【００１５】
特に、加熱体３２の略三分の一がポケット用材１６の端縁１６ａより外側に位置するように配され、加熱体３２がポケット用材１６の一部を溶着するように押し当てられるので、従来のファイルの補助ポケットであれば、加熱体３２の全周にわたり、ポケット用材１６が位置するので、熱溶着したとき、ポケット用材１６の溶融した部分が、加熱体３２に引っ付き、糸を引いたり、時には、ポケット用材１６が表紙１２と離れる方向に持ち上げられるといった力が作用することがあったが、この発明によれば、それを回避することができる。
【００１６】
なお、熱溶着装置３０は、外部から加熱し、その熱が伝導することによって熱溶着される部分のポケット用材１６を溶着して接着する方法、すなわち、ヒートシール法を採択した構造を有しているが、たとえば、高周波シール法や超音波シール法といった内部発熱法により、ポケット用材１６と表紙１２とを溶着するようにしてもよい。
また、加熱体３２およびそれによって形成される固着部１８の形状については、断面略方形状のものについて説明したが、たとえば、固着部１８の形状について、次に示すようなものとすることも可能である。そして、固着部１８の形状に対応し、熱溶着装置３０の加熱体３２の押圧面３２ａも、その平面の形状を変更すればよい。
【００１７】
図７ないし図１１は、ポケット用材１６を表紙１２に溶着する部位である固着部のその他の形状を示す図解図である。
図７に示す固着部４０は、平面Ｌ字型で、ポケット用材１６側に形成された内側固着部４０ａが平面Ｌ字型で、それに続いて形成されるポケット用材１６の端縁１６ａより外側にはみ出た外側固着部４０ｂは平面方形で、内側固着部４０ａと外側固着部４０ｂが連結されて、平面Ｌ字型に形成されている。
【００１８】
図８に示す固着部４２は、平面略コ字型で、ポケット用材１６側に形成された内側固着部４２ａが平面略Ｌ字型で、それに続いてポケット用材１６の端縁１６ａより外側にはみ出た外側固着部４２ｂも平面略Ｌ字型で、内側固着部４２ａと外側固着部４２ｂが連結されて、平面略コ字型に形成されている。
【００１９】
図９ないし図１１に示した固着部は、２種の固着部が交互に間歇的に形成された固着部であり、その一部の固着部が、ポケット用材１６の内側と外側に跨って形成される固着部であり、別の固着部が、前記ポケット用材１６の内側と外側に跨って形成された固着部の間に形成され、ポケット用材１６の端縁１６ａより内側にのみ形成された固着部である。
図９に示す固着部５０は、ポケット用材１６の内側と外側に跨って形成された第１の固着部５２と、ポケット用材１６の内側にのみ形成された第２の固着部５４とからなり、第１の固着部５２が２個形成され、それに続いて第２の固着部５４が３個形成され、さらに、前記第２の固着部５４に続いて、第１の固着部５２が２個形成されるといったように、第１の固着部５２と第２の固着部５４とが交互に形成されている。
第１の固着部５２は、ポケット用材１６の内側に形成される内側固着部５２ａと、それに続いて連続して形成されたポケット用材１６の外側に形成される外側固着部５２ｂとからなる。
この第１の固着部５２と第２の固着部５４とは、いずれも方形で、第１の固着部５２の内側固着部５２ａの内側部と第２の固着部５４の内側部とは、略直線上に並列され、第１の固着部５２の方が、第２の固着部５４より、ポケット用材１６の端縁１６ａより外側にはみ出る分だけ長く形成されている。
【００２０】
図１０に示す固着部６０は、ポケット用材１６の端縁１６ａの内側と外側に跨って形成される第１の固着部６２が平面略コ字型で、第１の固着部６２が間をあけて複数個間歇的に形成され、その第１の固着部６２の間に、ポケット用材１６の端縁１６ａの内側にのみ形成される第２の固着部６４が複数個形成されている。
第２の固着部６４は、平面略方形で、その内側部は、第１の固着部６２の内側部と直線上に並列されている。
第１の固着部６２は、ポケット用材１６の内側に形成される内側固着部６２ａが平面略コ字型で、内側固着部６２ａに続いて連続して形成されるポケット用材１６の端縁１６ａより外側に位置する外側固着部６２ｂ，６２ｂが、内側固着部６２ａの両先端より連続して形成された平面略方形である。
【００２１】
図１１に示す固着部７０は、ポケット用材１６の端縁１６ａの内側と外側に跨って形成される第１の固着部７２が平面略コ字型で、第１の固着部７２が間をあけて複数個間歇的に形成され、その第１の固着部７２の間に、ポケット用材１６の端縁１６ａの内側にのみ形成される第２の固着部７４が複数個形成されている。
第２の固着部７４は、平面略方形で、その内側部は、第１の固着部７２の内側部と直線上に並列されている。
ポケット用材１６の端縁１６ａの内側と外側に跨って形成される第１の固着部７２が平面略逆コ字型で、第１の固着部７２を構成する内側固着部７２ａは、平面略逆コ字型で、ポケット用材１６の端縁１６ａに沿って形成された内側固着部７２ａより外側にはみ出した外側固着部７２ｂが形成され、該外側固着部７２ｂは、内側固着部７２ａの端縁１６ａに沿った部分と略同じ長さを有している。
【００２２】
前記した固着部は、そのいずれも、外側固着部が略ポケット用材１６の端縁１６ａの外側より均一な幅をもってはみ出し、表紙１２に溶着されているので、たとえば、ポケット用材１６の端縁１６ａに用紙や物品が当たったとしても、ポケット用材１６の端縁１６ａが表紙１２より捲れ上がることがなく、固着部においてポケット用材１６が表紙１２と剥離することが少ない。
【００２３】
図１２は、この発明の一実施の形態であるファイルの外側の平面図解図である。図１４は、ポケット近傍の拡大断面図解図である。図１７は、熱溶着装置の加熱体の一部の図解図である。図１６は、ファイル等のポケットの溶着方法を示す断面図解図である。図１８は、ファイル等のポケットの溶着方法を示す斜視図解図である。
このファイル１１０は、表表紙１１２ａと、裏表紙１１２ｂと、表表紙１１２ａと裏表紙１１２ｂとの間に連設された背表紙１１２ｃとを有する表紙１１２と、表表紙１１２ａと裏表紙１１２ｂの外側表面に溶着されて背表紙１１２ｃの外側にポケット１１４を形成するポケット用材１１６とを含み、適宜、背表紙１１２ｃの内側にはリングバインダ等が取り付けられる。
ポケット用材１１６と背表紙１１２ｃとの間のポケット１１４には、背ラベル用紙等を挟むことができる隙間が形成される。
【００２４】
表表紙１１２ａ、裏表紙１１２ｂおよび背表紙１１２ｃは、ファイル表紙等を構成するものであって熱溶着性を有する基材を構成し、たとえば、１ｍｍ厚さのポリプロピレン製シートを方形に成形してなる。
ポケット用材１１６は、背表紙１１２ｃの外側表面であって、背表紙１１２ｃを挟んで表表紙１１２ａと裏表紙１１２ｂとの間に跨って架設されるものであり、前記基材を構成する表表紙１１２ａおよび裏表紙１１２ｂの表面の背表紙１１２ｃとの境界近傍に溶着されるものである。このポケット用材１１６は、表表紙１１２ａおよび裏表紙１１２ｂとの溶着性を増すために、前記表表紙１１２ａおよび裏表紙１１２ｂと同一の合成樹脂からなり、たとえば、０．２ｍｍ厚さのポリプロピレン製シートを平面略長方形状に成形してなる。
【００２５】
この表表紙１１２ａ、裏表紙１１２ｂおよび背表紙１１２ｃとポケット用材１１６とは、接着性をよくするために、ポリプロピレン、ポリオレフィン等のような熱溶着性を有する合成樹脂シートまたはフィルム等から適宜選択され、通常は、表表紙１１２ａ、裏表紙１１２ｂおよび背表紙１１２ｃの方がポケット用材１１６より厚手のものが選択される。
ポケット１１４は、ポケット用材１１６の内側表面と背表紙１１２ｃの内側表面との間に背ラベル用紙等を挟むための比較的薄い隙間を有するように構成されるので、ポケット用材１１６としては、比較的弾力性を有する合成樹脂が選択される。
【００２６】
ポケット用材１１６は、平面略長方形状で、表表紙１１２ａおよび裏表紙１１２ｂの表面の背表紙１１２ｃとの境界近傍において、表表紙１１２ａおよび裏表紙１１２ｂの境界側端縁に沿ってポケット用材１１６の長辺部分を構成する端縁１１６ａが平行になるように重合され、端縁１１６ａに沿って、一定間隔をおいて連続して形成された固着部１１８によって表表紙１１２ａおよび裏表紙１１２ｂに固着される。
固着部１１８は、ポケット用材１１６の端縁１１６ａより内側の一部が間歇的に表表紙１１２ａおよび裏表紙１１２ｂと熱溶着された平面方形の内側固着部１１８ａが形成されるとともに、前記内側固着部１１８ａに続いて、前記熱溶着されるときにポケット用材１１６の一部がポケット用材１１６の端縁１１６ａより流出して表表紙１１２ａおよび裏表紙１１２ｂの表面と熱溶着された外側固着部１１８ｂが連続して形成されている。
固着部１１８の内側固着部１１８ａの内側部は、ポケット用材１１６の端縁１１６ａに沿って略直線上に並列され、また、固着部１１８の外側固着部１１８ｂの外側部は、表表紙１１２ａおよび裏表紙１１２ｂの端縁に沿って略直線上に並列されている。
【００２７】
次に、このファイル１１０のポケット１１４の製造方法、特に溶着方法について、図１６ないし図１８に基づいて説明する。
まず、所定の形状（たとえば長方形）に成形された表紙１１２と、所定の形状（たとえば略長方形状）に成形されたポケット用材１１６とを準備し、表紙１１２の外側表面であって、背表紙１１２ｃを挟んで表表紙１１２ａと裏表紙１１２ｂとの間に跨ってポケット用材１１６を重合する。
【００２８】
これらの表表紙１１２ａおよび裏表紙１１２ｂとポケット用材１１６とは、熱溶着装置１３０によって、熱溶着されることにより、ポケット１１４を形成するが、熱溶着装置１３０のポケット用材１１６および表表紙１１２ａと裏表紙１１２ｂに押し当てられる加熱体１３２は、図１７において示すように、間歇的に突出された断面略方形でその四角が面取りされており、ポケット用材１１６および表表紙１１２ａと裏表紙１１２ｂに押し当てられる押圧面１３２ａが略平面の棒状体であって、基板１３４から突出形成されている。
これら基板１３４と加熱体１３２とは、金属をもって一体成型され、所定の温度に加熱されるように形成されている。
【００２９】
そして、図１６において示すように、加熱体１３２の押圧面１３２ａの一部をポケット用材１１６の一部に、すなわち、ポケット用材１１６の端縁１１６ａより内側において間歇的に表表紙１１２ａおよび裏表紙１１２ｂに熱溶着するように、加熱した状態で押圧面１３２ａの略三分の二を押し当て、ポケット用材１１６を表表紙１１２ａおよび裏表紙１１２ｂの外側表面に熱溶着する。
さらに、ポケット用材１１６を表表紙１１２ａおよび裏表紙１１２ｂに熱溶着した上、加熱体１３２を表表紙１１２ａおよび裏表紙１１２ｂの外側面に対し垂直に押圧すると、加熱体１３２の押圧面１３２ａが表表紙１１２ａおよび裏表紙１１２ｂの表面と接触する位置まで接近し、ポケット用材１１６と表表紙１１２ａおよび裏表紙１１２ｂに加熱体１３２の温度が略均一に行き渡るようになる。このとき、図１８に示すように、ポケット用材１１６の一部が溶融して、ポケット用材１１６の端縁１１６ａより外側にはみ出し流出する。
そして、加熱体１３２が、図１２に示すように、ポケット用材１１６の端縁１１６ａより外側に流出した部分とともに表表紙１１２ａおよび裏表紙１１２ｂに押し当てられ、ポケット用材１１６の端縁１１６ａより外側にはみ出した部分が表表紙１１２ａおよび裏表紙１１２ｂの表面と溶着されて、固着部１１８が形成される。
このように、加熱体１３２は、その略三分の二がポケット用材１１６の端縁１１６ａより内側に位置し、加熱体１３２の残り三分の一がポケット用材１１６の端縁１１６ａより外側にはみ出し、ポケット用材１１６と表表紙１１２ａおよび裏表紙１１２ｂとの間に跨って押し当てられるように配置される。そして、加熱体１３２の押圧面１３２ａが、表表紙１１２ａおよび裏表紙１１２ｂとポケット用材１１６と正対するように配されて、表表紙１１２ａおよび裏表紙１１２ｂとポケット用材１１６の表面に対し、垂直方向に向けて押圧されるように配される。
【００３０】
特に、加熱体１３２の略三分の一がポケット用材１１６の端縁１１６ａより外側に位置するように配され、加熱体１３２がポケット用材１１６の一部を溶着するように押し当てられるために、従来のファイルのポケットであれば、加熱体１３２の全周にわたり、ポケット用材１１６が位置するので、熱溶着したとき、ポケット用材１１６の溶融した部分が、加熱体１３２に引っ付き、糸を引いたり、時には、ポケット用材１１６が表表紙１１２ａおよび裏表紙１１２ｂと離れる方向に持ち上げられるといった力が作用することがあったが、この発明によれば、それを回避することができる。
【００３１】
なお、熱溶着装置１３０は、外部から加熱し、その熱が伝導することによって熱溶着される部分のポケット用材１１６を溶着して接着する方法、すなわち、ヒートシール法を採択した構造を有しているが、たとえば、高周波シール法や超音波シール法といった内部発熱法により、ポケット用材１１６と表表紙１１２ａおよび裏表紙１１２ｂとを溶着するようにしてもよい。
また、加熱体１３２およびそれによって形成される固着部１１８の形状については、断面略方形状のものについて説明したが、たとえば、固着部１１８の形状について、方形、円形その他の異形も可能である。そして、固着部１１８の形状に対応し、熱溶着装置１３０の加熱体１３２の押圧面１３２ａも、その平面の形状を変更すればよい。
【図面の簡単な説明】
【図１】この発明の一実施の形態であるファイルの内側の平面図解図である。
【図２】ポケット近傍の拡大図解図である。
【図３】熱溶着装置の加熱体の一部の図解図である。
【図４】ファイル等のポケットの溶着方法を示す断面図解図である。
【図５】ファイル等のポケットの溶着方法を示す断面図解図である。
【図６】ファイル等のポケットの溶着方法を示す断面図解図である。
【図７】固着部の変形例を示す図解図である。
【図８】固着部の変形例を示す図解図である。
【図９】固着部の変形例を示す図解図である。
【図１０】固着部の変形例を示す図解図である。
【図１１】固着部の変形例を示す図解図である。
【図１２】この発明の一実施の形態であるファイルの外側の平面図解図である。
【図１３】図１２図示ファイルの斜視図解図である。
【図１４】ポケット近傍の拡大断面図解図である。
【図１５】ポケット近傍の拡大平面図解図である。
【図１６】ファイル等のポケットの溶着方法を示す断面図解図である。
【図１７】熱溶着装置の加熱体の一部の図解図である。
【図１８】ファイル等のポケットの溶着方法を示す断面図解図である。
【図１９】従来のファイルの内側の平面図解図である。
【図２０】従来のファイルの補助ポケット近傍を示す図解図である。
【図２１】従来のファイルの補助ポケットの溶着方法を示す図解図である。
【図２２】従来のファイルの補助ポケットの溶着方法を示す図解図である。
【符号の説明】
１０，１１０　ファイル
１２，１１２　表紙
１１２ａ　表表紙
１１２ｂ　裏表紙
１１２ｃ　背表紙
１４，１１４　ポケット
１６，１１６　ポケット用材
１６ａ，１１６ａ　ポケット用材の端縁
１８，１１８　固着部
１８ａ，１１８ａ　内側固着部
１８ｂ，１１８ｂ　外側固着部
３０，１３０　熱溶着装置
３２，１３２　加熱体
３２ａ，１３２ａ　押圧面
３４，１３４　基板
４０，４２　固着部
４０ａ，４２ａ　内側固着部
４０ｂ，４２ｂ　外側固着部
５０　固着部
５２　第１の固着部
５２ａ　内側固着部
５２ｂ　外側固着部
５４　第２の固着部
６０　固着部
６２　第１の固着部
６２ａ　内側固着部
６２ｂ　外側固着部
６４　第２の固着部
７０　固着部
７２　第１の固着部
７２ａ　内側固着部
７２ｂ　外側固着部
７４　第２の固着部
【図１】
2004042594.tif 000003
【図２】
2004042594.tif 000004
【図３】
2004042594.tif 000005
【図４】
2004042594.tif 000006
【図５】
2004042594.tif 000007
【図６】
2004042594.tif 000008
【図７】
2004042594.tif 000009
【図８】
2004042594.tif 000010
【図９】
2004042594.tif 000011
【図１０】
2004042594.tif 000012
【図１１】
2004042594.tif 000013
【図１２】
2004042594.tif 000014
【図１３】
2004042594.tif 000015
【図１４】
2004042594.tif 000016
【図１５】
2004042594.tif 000017
【図１６】
2004042594.tif 000018
【図１７】
2004042594.tif 000019
【図１８】
2004042594.tif 000020
【図１９】
2004042594.tif 000021
【図２０】
2004042594.tif 000022
【図２１】
2004042594.tif 000023
【図２２】
2004042594.tif 000024